(57)【要約】【課題】  ディジタルテレビジョン受像機等の外部受信装置から出力された映像信号を入力可能な映像記録装置であって、簡単な設定操作を行うだけで最適な映像信号の予約録画を可能とする映像記録装置を提供する。【解決手段】  外部装置（例えば、ディジタルテレビジョン受像機）からの映像信号が入力可能な映像入力端子と、前記映像入力端子に入力された前記映像信号を記憶媒体（例えば、ハードディスクやＤＶＤ、磁気テープ等）に記録する記録手段と、を有する映像記録装置において、前記映像入力端子への前記映像信号の入力の有無を検出する入力信号検出手段と、前記入力信号検出手段により検出された映像信号の入力状態に基づいて、前記記録手段による記憶媒体への記録を開始または終了させる連動記録制御手段と、前記連動記録制御手段による記録制御を有効化する連動記録設定手段と、を設けるようにした。【選択図】  図３
2007165970.tif 000002
【特許請求の範囲】
【請求項１】
ディジタルテレビジョン放送信号を受信可能な受信装置から供給された映像信号が入力可能な映像入力端子と、前記映像入力端子に入力された前記映像信号を記憶媒体に記録する記録手段と、を有する映像記録装置であって、
前記映像信号に含まれる同期信号を分離する同期分離回路と、
前記同期分離回路により前記映像信号から分離された同期信号を監視することにより、前記映像入力端子への前記映像信号の入力の有無を検出する入力信号検出手段と、
前記入力信号検出手段により検出された映像信号の入力状態に基づいて、前記記録手段による記憶媒体への記録を開始または終了させる連動記録制御手段と、
前記記録制御手段による記録制御を有効化する連動記録設定手段と、
前記記録手段による前記記憶媒体への記録処理を中止させる解除信号を入力可能な入力手段と、を備え、
前記映像入力端子は、Ｙ／Ｃ複合タイプの映像信号が入力される第１入力端子と、Ｙ／Ｃ分離タイプの映像信号が入力される第２入力端子と、Ｙ／Ｐｂ／Ｐｒタイプの映像信号が入力される第３入力端子とを有する構成とされ、
前記連動記録制御手段は、
前記第３入力端子から入力された映像信号、前記第２入力端子から入力された映像信号、前記第１入力端子から入力された映像信号の順に優先的に選択して記録させるとともに、
前記記録手段による記録処理を開始させた後、前記解除信号が入力された場合は、前記記録手段による記録処理を中止させ、記録済みの映像信号を消去させることを特徴とする映像記録装置。
【請求項２】
外部装置からの映像信号が入力可能な映像入力端子と、
前記映像入力端子に入力された前記映像信号を記憶媒体に記録する記録手段と、を有する映像記録装置であって、
前記映像入力端子への前記映像信号の入力の有無を検出する入力信号検出手段と、
前記入力信号検出手段により検出された映像信号の入力状態に基づいて、前記記録手段による記憶媒体への記録を開始または終了させる連動記録制御手段と、
前記記録制御手段による記録制御を有効化する連動記録設定手段と、を備えることを特徴とする映像記録装置。
【請求項３】
前記映像信号に含まれる同期信号を分離する同期分離回路を有し、
前記入力信号検出手段は、前記同期分離回路により前記映像信号から分離された同期信号を監視することにより、前記映像信号の入力の有無を検出することを特徴とする請求項２に記載の映像記録装置。
【請求項４】
前記映像入力端子は、複数の映像信号を入力可能に構成され、
前記連動記録制御手段は、前記映像入力端子に画質の異なる複数の映像信号が入力された場合に、画質のよい映像信号を優先的に選択して記録させることを特徴とする請求項２または３に記載の映像記録装置。
【請求項５】
前記映像入力端子は、Ｙ（輝度信号）／Ｃ（色信号）複合タイプの映像信号が入力される第１入力端子と、Ｙ／Ｃ分離タイプの映像信号が入力される第２入力端子と、Ｙ（輝度信号）／Ｐｂ（青色差信号）／Ｐｒ（赤色差信号）タイプの映像信号が入力される第３入力端子とを有する構成とされ、
前記連動記録制御手段は、前記第３入力端子から入力された映像信号、前記第２入力端子から入力された映像信号、前記第１入力端子から入力された映像信号の順に優先的に選択して記録させることを特徴とする請求項４に記載の映像記録装置。
【請求項６】
前記記録手段による前記記憶媒体への記録処理を中止させる解除信号を入力可能な入力手段を備え、
前記連動記録制御手段は、前記記録手段による記録処理を開始させた後、前記解除信号が入力された場合は、前記記録手段による記録処理を中止させるとともに、記録済みの映像信号を消去させることを特徴とする請求項２から５の何れかに記載の映像記録装置。
【請求項７】
前記映像信号は、ディジタルテレビジョン放送信号を受信可能な受信装置から供給される映像信号であることを特徴とする請求項２から６の何れかに記載の映像記録装置。
【発明の詳細な説明】
【技術分野】
【０００１】
本発明は、外部装置からの映像信号を記録可能な映像記録装置に関し、特に、ディジタルテレビジョン受像機等で受信したテレビジョン放送信号等の映像信号を入力されることに連動して当該映像信号の記録処理を行う連動記録機能を有する映像記録装置に関する。
【背景技術】
【０００２】
一般に普及しているビデオカセットレコーダ（ＶＣＲ）等の映像記録装置は、通常アナログチューナを備えているので、地上波アナログ放送信号を受信することは可能であるが、それ以外の放送信号（地上波ディジタル放送、ＣＳ放送等）を受信する場合には専用の受信装置（ディジタルテレビジョン受像機、ＣＳディジタル放送受信機等）が必要となる場合がある。
【０００３】
例えば、地上波ディジタル放送信号を映像記録装置により録画しようとする場合、ディジタルチューナを備えたディジタルテレビジョン受像機の出力端子（録画出力端子）と映像記録装置の映像入力端子を接続した映像記録システムを構築し、ディジタルテレビジョン受像機によりディジタル放送信号を受信して信号処理し、録画出力端子より映像信号を出力させ、この出力された映像信号を映像記録装置の映像入力端子に入力させて記録するのが一般的である。
【０００４】
また、映像記録装置でアナログ放送信号を録画しようとする場合でも、アナログ放送信号を映像記録装置の備えるアナログチューナで受信して直接記録するより、ディジタルテレビジョン受像機で受信して信号処理した映像信号を記録した方が、ノイズやゴースト等の映像異常を低減できるという利点がある。そのため、ディジタルテレビジョン受像機を設置されている環境においては、上述した構成により放送信号の録画を行う場合が多い。
【０００５】
従来は、テレビジョン受像機といえば専ら映像を表示させるためのものであり、映像出力端子を備える利点は少なかったが、昨今のディジタルテレビジョン受像機は上述した理由から録画出力端子を備えるようになっている。また、このような録画出力端子を備えたディジタルテレビジョン受像機のタイマ録画予約機能を利用して録画する場合は、以下のような方法で設定を行っていた。
【０００６】
例えば、ディジタルテレビジョン受像機において、ＥＰＧ（電子番組表）を利用して所望の番組を選択してタイマ録画予約の設定を行い、一方、映像記録装置において、ディジタルテレビジョン受像機のタイマ録画予約に合わせて録画開始時間、録画終了時間、映像信号が入力される映像入力端子の設定を行う。または、ＩＲマウスやＩＲブラスタと呼ばれる入力装置を利用すれば、ディジタルテレビジョン受像機におけるタイマ予約に連動して映像記録装置の設定を行うことができる。
【０００７】
一方、テレビジョン受像機等の外部受信装置（チューナ）から出力された映像信号を映像記録装置で記録する場合に有効な技術として、以下の発明が提案されている。
【０００８】
例えば、特許文献１には、複数の出力端子を有し、該複数の出力端子にそれぞれビデオデッキを接続されたチューナにおいて、映像信号を出力する出力端子を指定することで、何れのビデオデッキにより映像信号を記録させるかを制御できるようにした信号記録システムが開示されている。また、この信号記録システムを構成するビデオデッキには、テレビジョン放送信号の入力状況に応じて録画を実行するシャトルリンク機能を有するビデオデッキが有効であることが記載されている。ここで、シャトルリンク機能とは、テレビジョン信号の入力を検出して同テレビジョン信号に基づいて録画を開始し、同テレビジョン信号の入力が途切れたところで録画を停止する機能（いわゆる連動記録機能）のことである。
【０００９】
また例えば、特許文献２には、タイマ録画設定された録画開始／終了日時になると外部チューナの電源をオン／オフ制御するようにして、外部チューナの消費電力を低減できるようにした磁気記録再生装置が開示されている。
【００１０】
また例えば、特許文献３には、外部チューナから入力される映像信号の有無を検出する検出手段を備え、前記検出手段により外部チューナからの入力映像信号が検出されない場合に、少なくとも映像信号が入力される可能性のある状態となるように、例えば、外部チューナの電源投入やチャンネル選択などを制御するようにしたタイマ予約記録装置が開示されている。
【特許文献１】特開平１１−０６９２７４号公報
【特許文献２】特開平０９−３２０１４４号公報
【特許文献３】特開平０６−２８２８９３号公報
【発明の開示】
【発明が解決しようとする課題】
【００１１】
しかしながら、上述したシャトルリンク機能を有する映像記録装置は、外部受信装置からの映像信号の入力に連動して当該映像信号の記録がなされるので便利であるが、映像信号の入力を検出した場合には常に記録が開始されることとなり不要な映像信号までも記録してしまう虞がある。
【００１２】
また、ディジタルテレビジョン受像機のタイマ予約機能を利用して録画出力端子より映像信号を出力し、この映像信号を映像記録装置により記録する場合は、設定作業が煩雑であったり、ＩＲマウス等の専用の装置が必要になったりするという問題がある。
【００１３】
そこで、本発明は、ディジタルテレビジョン受像機等の外部受信装置から出力された映像信号を入力可能な映像記録装置であって、簡単な設定操作を行うだけで最適な映像信号の予約録画を可能とする映像記録装置を提供することを目的とする。
【課題を解決するための手段】
【００１４】
本発明は、前記課題を解決するためになされたものであり、外部装置（例えば、ディジタルテレビジョン受像機）からの映像信号を入力可能な映像入力端子と、前記映像入力端子に入力された前記映像信号を記憶媒体（例えば、ハードディスクやＤＶＤ、磁気テープ等）に記録する記録手段と、を有する映像記録装置であって、前記映像入力端子への前記映像信号の入力の有無を検出する入力信号検出手段と、前記入力信号検出手段により検出された映像信号の入力状態に基づいて、前記記録手段による記憶媒体への記録を開始または終了させる連動記録制御手段と、前記連動記録制御手段による記録制御を有効化する連動記録設定手段と、を備えることを特徴とする。
【００１５】
これにより、連動記録設定手段において連動記録制御手段が有効化されたとき、すなわち視聴者によって映像記録装置の連動記録機能が設定されたときにだけ、映像信号の入力状態にしたがって入力映像信号が自動的に記録されることとなる。したがって、視聴者はテレビジョン受像機においてタイマ予約に関する詳細な設定をすれば、映像記録装置では連動記録機能の設定をするという極めて簡単な設定を行うだけで、テレビジョン受像機からタイマ予約により録画出力させた映像信号を記録させることができる。また、ＩＲマウス等の専用の装置を準備する必要もない。
【００１６】
具体的には、前記映像信号に含まれる同期信号を分離する同期分離回路を有し、前記入力信号検出手段は、前記同期分離回路により前記映像信号から分離された同期信号を監視することにより、前記映像信号の入力の有無を検出するようにした。例えば、コンポジットビデオ信号の場合は輝度信号、色信号と一緒に同期信号も復号化されており、コンポーネント映像信号の場合はＹ信号（輝度信号）に同期信号が含まれている。
【００１７】
また、前記映像入力端子は、外部装置から画質の異なる複数の映像信号を入力可能に構成され、前記連動記録制御手段は、前記映像入力端子に画質の異なる複数の映像信号が入力された場合に、画質のよい映像信号を優先的に選択して記録させるようにした。例えば、前記映像入力端子が、Ｙ（輝度信号）／Ｃ（色信号）複合タイプの映像信号（コンポジットビデオ信号）が入力される第１入力端子と、Ｙ／Ｃ分離タイプの映像信号（セパレートビデオ信号，Ｓビデオ信号）が入力される第２入力端子と、Ｙ／Ｐｂ（青色差信号）／Ｐｒ（赤色差信号）タイプの映像信号（コンポーネントビデオ信号，色差信号）が入力される第３入力端子とを有する構成とされた場合、前記連動記録制御手段は、前記第３入力端子から入力された映像信号、前記第２入力端子から入力された映像信号、前記第１入力端子から入力された映像信号の順に優先的に選択して記憶媒体に記録させるようにした。
【００１８】
また、前記記録手段による前記記憶媒体への記録処理を中止させる解除信号を入力可能な入力手段（例えば、リモコン装置の停止ボタン）を備え、前記連動記録制御手段は、前記記録手段による記録処理を開始させた後、前記解除信号が入力された場合は、前記記録手段による記録処理を中止させるとともに、記録済みの映像信号を消去させるようにした。または、記録処理が開始された後、所定時間内に前記解除信号が入力された場合にだけ、当該映像信号の記録は不要と判断して、記録処理を中止させるとともに、記録済みの映像信号を消去させるようにしてもよい。特に、記憶媒体をハードディスクで構成した場合には、記録済み映像信号の消去処理を容易に実行できる。
【００１９】
連動記録機能が設定されていると、外部装置（例えば、ディジタルテレビジョン受像機）からタイマ予約により録画出力された場合だけでなく、視聴者がテレビジョン放送を視聴するために外部装置の電源がオンされた場合にも映像信号の入力が検出されるので、映像信号の記録が開始されることとなる。そこで、記録処理が開始された後に入力手段から解除信号が入力された場合は記録処理を中止させるとともに、既に記録された分を消去させることで、所望しない映像信号が記録されるのを防止できるようにした。つまり、記録処理が実行されている間に解除信号が入力されない場合、言い換えると、視聴者が就寝中や外出中等でその場に介在せず、テレビジョン受像機等のタイマ予約により録画出力されていると考えられる場合にだけ、記録手段による記憶媒体への記録処理が開始されるようにした。
【００２０】
また、本発明は、ディジタルテレビジョン放送信号を受信可能で、録画出力端子を有するディジタルテレビジョン受像機のような受信装置で受信した映像信号を、映像記録装置により記録させる場合に有効である。
【発明の効果】
【００２１】
本発明によれば、視聴者は映像記録装置において連動記録機能を設定するだけで、テレビジョン受像機等からタイマ予約により録画出力された映像信号を自動的に記録させることができる。すなわち、テレビジョン受像機においてのみタイマ録画予約の設定をすればよく、従来のように映像記録装置においても煩雑なタイマ予約の設定をしたり、ＩＲマウス等の専用の装置を準備したりする必要はなくなる。
【発明を実施するための最良の形態】
【００２２】
以下、本発明の好適な実施の形態を図面に基づいて説明する。
【００２３】
図１は、本発明にかかる映像記録装置を適用したＨＤＤレコーダの機能ブロック図である。
ＨＤＤレコーダ１００は、２つの映像入力端子Ｔin１，Ｔin２と、同期信号分離回路１０と、記録部２０と、システム制御部３０と、電源４０と、表示部５０と、入力部６０と、映像出力端子Ｔoutと、を有する構成とされる。なお、図１では省略しているが、一般的な映像記録装置と同様にアナログチューナ等の受信装置も備える。
【００２４】
ＨＤＤレコーダ１００の２つの映像入力端子Ｔin１，Ｔin２は、それぞれディジタルテレビジョン受像機やＣＳディジタルチューナ等の外部受信装置からの映像信号が入力可能で、具体的には、Ｙ／Ｃ複合タイプの映像信号（コンポジットビデオ信号）が入力されるコンポジットビデオ端子ＴＣ１，ＴＣ２と、Ｙ／Ｃ分離タイプの映像信号（セパレートビデオ信号）が入力されるＳ端子ＴＳ１，ＴＳ２と、Ｙ／Ｐｂ／Ｐｒタイプの映像信号（コンポーネントビデオ信号）が入力されるＤ端子と、で構成される。これにより、映像入力端子Ｔin１，Ｔin２のそれぞれにおいて、画質の異なる複数の映像信号が入力可能となる。
【００２５】
映像出力端子Ｔoutは、ディジタルテレビジョン受像機等の映像出力装置に映像信号を出力可能に構成され、例えば、記録部２０に記録されている映像信号を再生したときの再生映像信号を出力したり、ＯＳＤ表示のための信号を出力したりする。なお、図１では省略しているが、映像入力端子Ｔin１，Ｔin２と同様に複数の端子で映像出力端子Ｔoutを構成してもよい。
【００２６】
同期分離回路１０は、映像入力端子ＴＤ１，ＴＳ１，ＴＣ１，ＴＤ２，ＴＳ２，ＴＣ２に対応する６つの同期分離回路１１〜１６で構成され、映像入力端子ＴＤ１，ＴＳ１，ＴＣ１，ＴＤ２，ＴＳ２，ＴＣ２に入力された映像信号から同期信号を分離し、分離した同期信号をシステム制御部３０に供給する。このとき、映像信号から同期信号を分離するための回路は映像信号の種類によって異なるために、入力映像端子ＴＤ１，ＴＳ１，ＴＣ１，ＴＤ２，ＴＳ２，ＴＣ３に対応して同期分離回路１１〜１６を設けるようにしている。例えば、コンポーネントビデオ信号とセパレートビデオ信号についてはＹ（輝度）信号に同期信号が含まれるが、コンポジットビデオ信号については輝度信号、色信号と一緒に同期信号も復号化されている。
【００２７】
記録部２０は、映像入力端子Ｔin１，Ｔin２から入力された映像信号を記憶媒体としてのハードディスクに記録する。なお、本実施形態では、記憶媒体としてハードディスクを用いているが、ＤＶＤ等のディスク型記憶媒体やビデオカセットテープ等の磁気テープ、その他映像信号を記録可能な記憶媒体であれば特に制限はされない。
【００２８】
電源４０は、ＨＤＤレコーダ１００を構成する各ブロックに電力を供給する。なお、各ブロックへの電力の供給、すなわちＨＤＤレコーダ１００の電源のオン／オフ（スタンバイ）はシステム制御部３０によって制御される。
【００２９】
表示部５０は、電源状態（オン／オフ）や時計情報、選択されている入力チャンネル情報等を表示する。
【００３０】
入力部６０は、例えば、視聴者が操作するリモコン装置であり、視聴者によりリモコン装置の停止ボタンが操作されると、記録部２０における記録処理を中止させる解除信号が入力される。また、映像記録装置本体にも入力手段を設けるようにしてもよい。
【００３１】
システム制御部３０は、ＣＰＵと、ＲＡＭと、ＲＯＭと、で構成される。ＲＯＭには、各種制御プログラムが格納されており、ＣＰＵはＲＡＭを作業領域として利用しつつ、ＲＯＭ内の制御プログラムに従って動作する。
【００３２】
例えば、同期分離回路１０により映像信号から分離された同期信号を監視することにより、映像入力端子Ｔin１，Ｔin２への映像信号の入力の有無を検出する（入力信号検出手段）。また、映像信号の入力状態に基づいて、記録部２０における記録処理を開始または終了させる（連動記録制御手段）。このとき、例えば、映像入力端子Ｔin１に画質の異なる複数の映像信号（コンポーネントビデオ信号、セパレートビデオ信号、コンポジットビデオ信号）が入力された場合には、画質のよい映像信号を優先的に選択して記録させる。具体的には、コンポーネントビデオ信号、セパレートビデオ信号、コンポジットビデオ信号の順に優先的に選択して記録させる。
【００３３】
さらに、システム制御部３０は、視聴者による入力部６０の操作に基づいて連動記録制御手段を有効化する（連動記録設定手段）。また、映像信号の入力状態に基づいて当該映像記録装置の電源状態を制御する。
【００３４】
本実施形態のＨＤＤレコーダ１００は、例えば、ディジタルテレビジョン受像機との間で映像信号を入出力可能に接続される。すなわち、ディジタルテレビジョン受像機の映像出力端子（例えば、録画出力端子）とＨＤＤレコーダ１００の映像入力端子Ｔin１またはＴin２が接続される。ＨＤＤレコーダ１００において録画処理を実行する場合は、ディジタルテレビジョン受像機によりテレビジョン放送信号を受信し、該ディジタルテレビジョン受像機の映像出力端子（例えば、録画端子）から映像信号を出力させ、この映像信号をＨＤＤレコーダ１００の映像入力端子Ｔin１またはＴin２に入力し、記録部２０で記録させることとなる。また、ＨＤＤレコーダ１００の映像出力端子Ｔoutとディジタルテレビジョン受像機の映像入力端子が接続され、ＨＤＤレコーダ１００で再生された再生映像信号やＨＤＤレコーダ１００で生成されたＯＳＤ信号が入力されディジタルテレビジョン受像機にて表示される。
【００３５】
また、本実施形態のＨＤＤレコーダ１００では、視聴者がリモコン装置６０の入力操作を行うことにより連動記録機能を設定した場合に、ディジタルテレビジョン受像機から入力された入力映像信号に連動して記録部２０において記録処理が実行される。以下に、視聴者が連動記録機能を設定するときの連動記録設定処理について説明する。
【００３６】
図２は、連動記録設定処理について示したフローチャートである。
【００３７】
まず、視聴者がリモコン装置６０の所定のボタン（例えば、メニューボタン）を操作することに伴いメニュー画面を表示する（ステップＳ１０１）。このメニュー画面において、予約録画の時間設定やチャンネルの設定等、各種設定を行うためのメニューが表示され、設定項目の一つに連動記録設定が含まれる。
【００３８】
次いで、メニュー画面において、視聴者がリモコン装置６０の所定のボタン（例えば、カーソルキーと決定キー）を操作することに伴い連動記録が選択されたか否かを判定する（ステップＳ１０２）。例えば、メニュー画面において、視聴者がリモコン装置６０のカーソルキーを操作してカーソルを移動させ、カーソルを連動記録の項目に合わせた状態で決定キーを操作すると、連動記録が選択されたと判定する。
【００３９】
次いで、ステップＳ１０２で連動記録が選択されなかったと判定した場合、すなわち、メニュー画面において連動記録以外の項目が選択された場合は連動記録の設定は行われない。一方、ステップＳ１０２で連動記録が選択されたと判定した場合は、ステップＳ１０３に移行する。
【００４０】
ステップＳ１０３では、連動記録の対象となる映像入力端子を設定する画面を表示し、視聴者に映像入力端子の選択を促す。つまり、ＨＤＤレコーダ１００には映像入力端子が２つ設けられているので、何れの映像入力端子（Ｔin１またはＴin２）から入力された映像信号を連動記録の対象とするかを設定させる。例えば、映像入力端子Ｔin１にディジタルテレビジョン受像機が接続され、映像入力端子Ｔin２にＣＳディジタルチューナが接続された構成において、映像入力端子Ｔin１が連動記録の対象として設定された場合は、ＣＳディジタルチューナから映像信号の入力があっても連動記録処理は実行されず、ディジタルテレビジョン受像機から映像信号の入力があったときのみ連動記録処理が実行されることとなる。
【００４１】
次いで、ステップＳ１０４では、映像入力端子設定画面において、視聴者がリモコン装置６０のカーソルキーを操作してカーソルを移動させ、カーソルを所望の映像入力端子（"１"または"２"）に合わせた状態で決定キーを操作されたか否かを判定する。
【００４２】
ステップＳ１０４で決定キーを操作されたと判定した場合は、ステップＳ１０５に移行し、連動記録に関する設定内容を表示し、当該設定内容でよいか確認させる。
【００４３】
ステップＳ１０６では、この確認画面においてリモコン装置６０の決定キーが操作されたか否かを判定する。そして、ステップＳ１０６において決定キーが操作されたと判定した場合は、連動記録に関する設定内容を登録し（ステップＳ１０７）、設定処理を終了する。
【００４４】
なお、ステップＳ１０４，Ｓ１０６では、決定キーが操作されるまで処理を繰り返すようにしているが、前画面に戻したり、設定自体をキャンセルしたりすることができるようにしてもよい。また、設定内容を登録した後、ＨＤＤレコーダ１００の電源状態をスタンバイ状態にするステップを設けるようにしてもよい。
【００４５】
上述した設定処理において連動記録機能が設定される。なお、一度設定された連動記録機能は、視聴者によって解除されない限り有効となるようにすれば、タイマ予約による時間帯の離れた複数の番組を記録させることができる。また、所定時間だけ連動記録機能を有効化するように設定できるようにしてもよい。
【００４６】
次に、図２のフローチャートにしたがって設定された連動記録機能に基づいて実行される連動記録処理について説明する。なお、本実施形態では、連動記録機能が設定され、ＨＤＤレコーダ１００の電源はスタンバイ状態になっている場合に、連動記録機能が有効化されるようにしている。
【００４７】
図３は、連動記録処理について示したフローチャートである。
【００４８】
まず、ステップＳ２０１では、連動記録の対象として設定された映像入力端子Ｔin１またはＴin２からの映像信号の入力の有無を検出する。具体的には、同期分離回路１０により映像信号から分離される同期信号を監視することにより、映像入力端子Ｔin１またはＴin２への映像信号の入力の有無を検出する（入力信号検出手段）。
【００４９】
次いで、ステップＳ２０１で映像信号の入力が検出されたと判定した場合は、ＨＤＤレコーダ１００の電源がオン状態になっているか判定する（ステップＳ２０２）。そして、ステップＳ２０２で電源がオン状態になっていない（スタンバイ状態にある）と判定した場合は、ステップＳ２０３で電源をオンした後、ステップＳ２０４で記録を開始する。
【００５０】
このとき、例えば、映像入力端子Ｔin１に画質の異なる複数の映像信号（コンポーネントビデオ信号、セパレートビデオ信号、コンポジットビデオ信号）が入力された場合には、コンポーネントビデオ信号、セパレートビデオ信号、コンポジットビデオ信号の順に優先的に選択して記録させる。これにより、同じ映像入力端子Ｔin１を構成する複数の入力端子（コンポジットビデオ端子ＴＣ１、Ｓ端子ＴＳ１、Ｄ端子ＴＤ１）にそれぞれ映像信号が入力されるように所定のケーブルで接続しておけば、画質のよい映像信号を優先的に選択して記録させることができる上、接続不良などによりＤ端子ケーブルによる映像信号が入力されなかった場合でも、Ｓ端子あるいはコンポジットビデオ端子に映像信号が入力されているので、映像信号が記録されないという不具合が生じるのを防止できる。
【００５１】
一方、ステップＳ２０２で電源がオン状態になっていると判定した場合は、連動記録を開始せず、そのまま処理を終了する。つまり、ＨＤＤレコーダ１００の電源がオン状態にあるときは、連動記録機能を無効化している。例えば、視聴者がディジタルテレビジョン受像機による視聴を目的としている場合であって、連動記録を所望しない場合は、当該番組についての連動記録機能を停止させることが望ましい。しかし、連動記録機能の設定自体を解除してしまうと、以降の番組に対してタイマ予約をしていた場合に不具合が生じるので、本実施形態では電源状態により簡単に連動記録機能を有効化／無効化させるようにしている。
【００５２】
次いで、ステップＳ２０４で記録が開始された後は、ステップＳ２０５でリモコン装置６０からの解除信号の入力（停止ボタンの操作）を監視するとともに、ステップＳ２０６で映像信号の入力の有無を検出し、これに基づいて、記録処理の制御を行う。
【００５３】
すなわち、ステップＳ２０５においてリモコン装置６０からの解除信号の入力があったと判定した場合は、記録処理を停止し、既に記録したデータを消去する（ステップＳ２０９）。連動記録機能が設定されていると、ディジタルテレビジョン受像機からタイマ予約により録画出力された場合だけでなく、視聴者がテレビジョン放送を視聴するために外部装置の電源がオンされた場合にも映像信号の入力が検出されるので、映像信号の記録が開始されることとなる。そこで、記録処理が開始された後にリモコン装置６０から解除信号が入力された場合は記録処理を中止させるとともに、既に記録された分を消去させるようにしている。これにより、所望しない映像信号が無駄に記録されるのを防止できる。
【００５４】
または、記録処理が開始された後、所定時間内に前記解除信号が入力された場合にだけ、当該映像信号の記録は不要と判断して、記録処理を中止させるとともに、記録済みの映像信号を消去させるようにしてもよい。また、ステップＳ２０９では記録処理の停止だけして、記録された映像信号の消去は視聴者による手動操作により行うようにしてもよい。
【００５５】
つまり、記録処理が実行されている間に解除信号が入力されない場合、主には、視聴者がその場に介在しない状態においてテレビジョン受像機等のタイマ予約による録画出力された場合にだけ、記録処理が行われることとなる。
【００５６】
そして、電源をオン状態に保持したまま処理を終了する。つまり、視聴者がディジタルテレビジョン受像機による視聴を継続する場合は、映像入力端子から映像信号の入力は検出されるが（ステップＳ２０１で"Ｙ"）、ＨＤＤレコーダ１００の電源がオン状態になっているので連動記録は開始されない（ステップＳ２０２で"Ｙ"）。その後、連動記録機能を有効化する場合は、視聴者はＨＤＤレコーダ１００の電源をスタンバイ状態にする必要がある。
【００５７】
一方、ステップＳ２０５においてリモコン装置６０からの解除信号の入力がないと判定した場合は、映像信号の入力の有無を検出する（ステップＳ２０６）。そして、ステップＳ２０６において映像信号の入力が検出されなくなった場合は記録処理を終了する（ステップＳ２０７）。例えば、ディジタルテレビジョン受像機においてタイマ予約した録画出力が終了した場合に、映像信号の入力が検出されなくなる。また、ステップＳ２０６で映像信号の入力が検出されている間は、ステップＳ２０５，Ｓ２０６の処理が繰り返される。
【００５８】
次いで、ステップＳ２０８で電源をオフして処理を終了する。このように、連動記録処理が正常に終了された場合は、次回の映像信号の入力を検出することに基づいて連動記録が開始されるように、電源をオフ状態とするようにしている。
【００５９】
このように、本実施形態のＨＤＤレコーダ１００では、連動記録機能が設定され、連動記録制御手段としてのシステム制御部３０が有効化されたときだけ、記録部２０において入力映像信号が自動的に記録されることとなる。したがって、視聴者は連動記録機能の設定をするという極めて簡単な設定だけで、テレビジョン受像機やＣＳディジタルチューナ等の受信装置においてタイマ予約をするだけで、録画出力させた映像信号を記録させることができる。また、ＩＲマウス等の専用の装置を準備する必要もない。
【００６０】
以上、本発明者によってなされた発明を実施形態に基づいて具体的に説明したが、本発明は前記実施形態に限定されるものではなく、その要旨を逸脱しない範囲で変更可能である。
【００６１】
例えば、映像記録装置としてＨＤＤレコーダの例について説明したが、ＤＶＤレコーダやビデオカセットレコーダ等にも当然に適用することができる。ただし、この場合は図３のステップＳ２０９における既に記録した映像信号の消去処理が困難な場合もある。
【００６２】
そこで、映像記録装置に、映像入力端子への映像信号の入力が検出されたことを報知する報知手段を設け、報知手段により映像信号の入力が検出されたことを報知した後、所定時間内に前記解除信号が入力された場合は、前記記録手段による記録を開始させないようにしてもよい。例えば、映像記録装置の表示部において報知したり、接続された映像出力装置にＯＳＤ表示することで報知したりすることができる。
【００６３】
つまり、映像信号の入力が検出されたことを報知し、所定時間内に解除信号が入力された場合は記録を開始させないようにすることで、所望しない映像信号が記録されるのを防止することができる。ＤＶＤやビデカセットテープ等、上書きすることが望ましくない、或いは困難な記憶媒体を用いている場合に有効である。
【図面の簡単な説明】
【００６４】
【図１】本実施形態のＨＤＤレコーダ１００の機能ブロック図である。
【図２】連動記録設定処理を示すフローチャートである。
【図３】連動記録処理を示すフローチャートである。
【符号の説明】
【００６５】
１０  同期分離回路
２０  記録部
３０  システム制御部
４０  電源
５０  表示部
６０  入力部
１００  ＨＤＤレコーダ
Ｔin１，Ｔin２  映像入力端子
Ｔout  映像出力端子
【図１】
2007165970.tif 000003
【図２】
2007165970.tif 000004
【図３】
2007165970.tif 000005